(57)【特許請求の範囲】
【請求項１】
通電性の物質からなるキートップ部分（１）とそれに接着した非通電性の熱可塑性ポリエステルエラストマー組成物からなるスイッチ構造部分（２）と導電性薄板からなる放電部分（３）から基本的になる形成品であって、スイッチ構造部（２）は押し圧部（４）バネの役目をする薄肉のスカート部（５）基盤部（６）からなり、キートップ部分（１）はその後部が押し圧部（４）を貫通していてその最後部は平面の接触部（７）となっており、キートップの指押しで接触部（７）と金属薄板製の放電部分（３）が接触する構造で、しかもキートップ部分を押し込む力（押し圧）が２００ｇｆ以上で、全体の裏面に両面テープ（８）を貼り付けたことを特徴とする静電気ショック防止スイッチ。
【発明の詳細な説明】
【０００１】
【発明の属する技術分野】
本発明は、主にビル、住宅、交通機関などに於いてドア等開閉時に触れて感じる静電気ショックを防止する静電気ショック防止スイッチに関するものである。
【０００２】
【従来の技術】
近年、住宅環境やオフィスの環境が非常に整備された結果、冬季には暖房によって環境の空気は乾燥気味である。更に、履き物下地で使用される材料がクッション性や耐久性の高いポリウレタン系が増えて天然皮革物が減少した結果、歩行などで人体に蓄積した静電気は地面に放出され難くなった。それ故ビル内ドアの金属ノブに触れて強い静電気ショックを受けるのはよくあることである。
【０００３】
衣服を木綿など通電性の高い素材地にしたり、金属細線を編み込んだ靴下を履く、天然皮革の革靴を履くなど静電気ショックに対する人的対処は研究開発されてきた。一方、施設面から見るとオフィスビルでは安価な金属製のドアノブが最も多く使用されている。これは静電気ショックを最も受け易い。樹脂性ドアノブを使用している場合もあるが、静電気ショックを防止する意図ではなくデザイン面等で設置されていることが多い。要するに、従来は静電気ショックに対して大した事柄と考えられていなかったため、施設面での対策は殆ど為されていない。
【０００４】
【発明が解決しようとする課題】
静電気ショックは人体側の静電気電圧と施設側電圧が大きく異なる時に指先など身体の極一部が接触し、狭い接触面に一挙に電気が流れることに起因している。施設側の材質が非導電体であれば通電量は少ないし、良導電体であっても極小さな体積であれば通電量は少ないのでショックは感じない。従って静電気ショックを防止するには、施設と電気的絶縁状態を保って通電しないようにするか、人体の静電圧をショックを受けないレベルで放電し施設の静電圧（アース電圧）まで下げてしまう、のいずれかである。本発明者らは、後者の考え方が本来の方法と判断して解決の課題とした。
【０００５】
【課題を解決するための手段】
本発明は図１に示すが、通電性の物質からなるキートップ部分（１）とそれに接着した非通電性の熱可塑性ポリエステルエラストマー組成物からなるスイッチ構造部分（２）と導電性薄板からなる放電部分（３）から基本的になる形成品であって、スイッチ構造部（２）は押し圧部（４）バネの役目をする薄肉のスカート部（５）基盤部（６）からなり、キートップ部分（１）はその後部が押し圧部（４）を貫通していてその最後部は平面の接触部（７）となっており、キートップの指押しで接触部（７）と金属薄板製の放電部分（３）が接触する構造で、しかもキートップ部分を押し込む力（押し圧）が２００ｇｆ以上で、全体の裏面に両面テープ（８）を貼り付けたことを特徴とする静電気ショック防止スイッチを提供するものである。
【０００６】
詳細に述べる。まず、本発明の静電気ショック防止スイッチの使用法について述べる。このスイッチは、通行者がドアノブに手を触れる前に指で一旦押し込んで貰うことで静電気ショックを防止するものである。即ち、指先がキートップに触れた瞬間に人体と導電体キートップ間に通電するがキートップ（１）は電気容量が少ないのでショックは感じない。次に指で強く押し込むとキートップ（１）の接触部（７）が金属薄板の放電部（３）に接触する。放電部（３）はその裏面側を施設側とアースしておく（例えば金属ドアに貼り付けておく）のでこの接触の瞬間に人体と施設は通電し静電気は放出される。しかしこの場合、指で強く押し込まれているので通電面積が大きくなっている結果、電気ショックは感じられない。
【０００７】
更に詳細に述べる。キートップ（１）の材質は金属を含む導電性物質なら良いわけだが安価に製造するには熱可塑性の導電性樹脂が好ましい。射出成形に使用できるためである。特に導電性ＡＢＳ樹脂が好ましい。
【０００８】
スイッチ構造部分（２）の材料は熱可塑性ポリエステルエラストマー組成物である。使用に適する熱可塑性ポリエステルエラストマー組成物について具体的に述べる。現在多くのメーカーから販売されている熱可塑性ポリエステルエラストマーを主成分として使用したものでよく、市販熱可塑性ポリエステルエラストマーそのままでもよいが、これに未加硫ゴム、可塑剤、顔料、染料、その他添加剤などを含めていてもよい。販売されている熱可塑性ポリエステルエラストマーは、ポリテトラメチレンテレフタル酸エステル（ＰＢＴ）からなるハードセグメントとポリメチレングリコールからなるソフトセグメントが交互に結合したブロックポリマーであり、これらは好ましく使用できる。特に、ソフトセグメントがポリテトラメチレングリコールの物でハードセグメントとソフトセグメントが交互に連結したマルチブロックポリマーがより好ましく使用できる。可塑剤は含めても含めなくてもよい。可塑剤の使用で組成物の硬度を調節することができ、例えば元々硬度がＪＩＳＡ９３程度の熱可塑性ポリエステルエラストマーでも、可塑剤のコンパウンドで８２程度まで下げる（柔らかくする）ことが出来る。
【０００９】
熱可塑性ポリエステルエラストマー組成物をスイッチ構造部の材料として使用する理由は、スカート部（５）での繰り返し屈曲耐久性が抜群なことである。スカート部分は、厚さ０．１〜０．２ｍｍ、幅０．７〜１．５ｍｍ、傾斜は水平面から４０〜５０度である。スイッチを押すとスカート部分が屈曲するが繰り返し屈曲を１００万回、１０００万回行っても熱可塑性ポリエステルエラストマーは破れることがない。押し圧は２００ｇｆ以上である。何故ならしっかり押した時に通電すれば指の接触面積が大きいので通電ショックがなくなるからである。
【００１０】
目的物を得るに於いて、合理的な製造方法がある。即ち、図２で示した様にキートップ（１）の裏面外周部（Ａ）にウレタン系２液性インキをパッド印刷する。所定の温度条件でインキを焼付けてから金型にインサートして熱可塑性ポリエステルエラストマー組成物を射出成形する。熱可塑性ポリエステルエラストマーはウレタン系インキに高温高圧で接着するのでやっかいな接着工程なしにキートップ（１）とスイッチ構造部分（２）が一挙に一体化成形品として得ることができる。
【００１１】
放電部分（３）は導電性物質による金属薄板である。腐食を防ぐためにステンレス箔が好ましい。
【００１２】
以下、本発明の具体的実施例について説明するが、本発明はこれらに限定されるものではない。
＜実施例＞
材料として以下を用意した。導電性ＡＢＳ樹脂として、「ＣＯＮＤＵＣＴＯＲ７９０Ｍ８（日本合成ゴム社製）」と「ＪＳＲマクスロイＨＫ１０１（日本合成ゴム社製）」の１：１のペレット混合物を使用した。また、熱可塑性ポリエステルエラストマー組成物として、「ＰＩＢＩＦＬＥＸ３５Ｍ（エニケム・ポリメリ社製）」９０重量部と、アクリルニトリルブタジエンゴム「ＪＳＲ／ＮＢＲ（日本合成ゴム社製）」２重量部と、シリコーンオイル「シリコーンオイルＳＨ（東レダウコーニング社製）」０．０５重量部とを、ヘンシェルミキサーにより混合した後、２軸押し出し機により加熱温度２００℃、スクリュー回転数１５０ＲＰＭの条件で混練し、混練中に２軸押し出し機の途中から可塑剤「サンソサイザーＤＵＰ（新日本理科社製）」８重量部を添加し、熱可塑性ポリエステルエラストマー組成物を作成した。これのＪＩＳＡ硬度は９０度であった。なお、「ＰＩＢＩＦＬＥＸ３５Ｍ」はＰＢＴのハードセグメントとポリテトラメチレングリコールのソフトセグメントが複数交互に連結したマルチブロックポリマーであり、分子量が１０００００〜１５００００、軟化点１７５℃、融点１９２℃、ＪＩＳＡ硬度９３度のものである。
【００１３】
前記の導電性ＡＢＳ樹脂を使用して図３に示すキートップ集合体を射出成形した。成形は生産性良く進めるためにキートップ（１）は９個を枠（１２）や連結部（１１）を介してつながっているものである。樹脂の導入は各キー毎にあるピンゲート（１０）から行った。この集合体の裏面部分（Ａ）に市販のウレタン結合２液性のスクリーン印刷用インキをパッド印刷し焼き付けた。印刷済みキートップ集合体を自動治具で連結部（１１）を切断しつつスイッチ金型に挿入した。その後熱可塑性ポリエステルエラストマー組成物を射出した。インキ層を介してキートップと熱可塑性ポリエステルエラストマー部分が接着し一体化品が得られた。得られた一体化品の裏面に０．３ｍｍ厚のステンレス箔をはめ込み、その上から両面テープ（８）を貼りつけ目的物である静電気ショック防止スイッチとした。
【００１４】
オフィスビル内４階にある階段ホールに通じる金属性ドアの金属製ドアノブ近くに上記のスイッチを貼り付けた。評価実験者は、下着は木綿製だがポリエステル製シャツとズボンに毛糸セーターを着てナイロン製靴下をつけポリウレタン製靴底の合成皮革製靴を履いて、１月の２０℃に暖房したビル内を３分間歩いた。その後、上記スイッチを押してからドアノブにゆっくり接触したが静電気ショックはなかった。再度ビル内を３分間歩き、今回は上記スイッチに触れることなく金属ドアノブにゆっくり接触したところ指先が接触した途端に静電気ショックがあった。
【００１５】
【発明の効果】
本発明のスイッチは電気ショック無しに身体の電位をアース電圧に下げることができる。ドアノブに触れる前に本発明のスイッチを押してもらうことが必要だが習慣になればたいしたことではない。身体の静電気電位をアース電位に下げられるのでドアノブに触れても電気ショックはない。静電気ショックが来ないか恐れながらノブに触れるよりずっとましであり、効果は大きい。
【図面の簡単な説明】
【図１】本発明の静電気ショック防止スイッチの断面構造概略図である。
【図２】本発明に使用するキートップ部分の概略図である。
【図３】本発明に使用するキートップを導電性の樹脂で多数個取りする場合のキートップ集合体の平面概要図である。
【符号の説明】
（１）キートップ部分
（２）スイッチ構造部分
（３）放電部分
（４）押し圧部
（５）スカート部
（６）基盤部
（７）接触部
（８）両面テープ部分
（１０）キートップ成形時のピンゲート部
（１１）キートップと枠部を繋ぐ連結部
（１２）キートップ集合体を支える枠部
（Ａ）キートップ裏面で接着用インキを印刷する部分
【図１】
0003562206.tif 000002
【図２】
0003562206.tif 000003
【図３】
0003562206.tif 000004